(57)【特許請求の範囲】
【請求項１】
ティッシュペーパー（４）の繊維の縦方向（ａ）を横にした時、上下が半分になる位置で第一の折り目（５）を山折にし、第一の折り目（５）を上にした時に面積が縦に三等分になる位置で第二の折り目（６）第三の折り目（７）を手前に向かってに折り、上面の面積が半分になる位置で第四の折り目（８）第五の折り目（９）を外側に折ることで中央が観音開きになるように折り畳んだものを複数重ねて中央に取出し口（３）となるミシン目（２）が設けられた扁平な袋（１）にミシン目（２）と第四の折り目（８）と第五の折り目（９）が平行になるように収容することにより、ポケットティッシュのミシン目（２）を開封しようと引っ張る方向にティッシュペーパー（４）の繊維の縦方向（ａ）が来ることを特徴とするポケットティッシュの折り畳み方。
【請求項２】
ティッシュペーパー（４）を取り出した時に二つ折りに畳まれている状態で、長手方向に繊維の縦方向（ａ）が来ることを特徴とする請求項１のポケットティッシュの折り畳み方。
【発明の詳細な説明】
【発明の詳細な説明】
【技術分野】
【０００１】  本発明はポケットティッシュを破れにくく、取り出しやすく、取り出して畳み直さずにすぐ使うことができるポケットティッシュの折り畳み方に関するものである。
【背景技術】
【０００２】  従来ポケットティッシュは長方形の扁平な袋内に折り畳まれたティッシュペーパーを複数重ねて収容し、その袋の一方の面にティッシュペーパーの取り出し口となるミシン目を設けたポケットティッシュであった。
また、取り出したティシュペーパーを開いて畳み直すことなく使用できるポケットティッシュ等がある。
【先行技術文献】
【特許文献】
【０００３】
【特許文献１】特開２０１１−２０６４２１号公報
【特許文献２】特開平０９−３０９６６７号公報
【発明の概要】
【発明が解決しようとする課題】
【０００４】  ポケットティッシュを開封する時、中央のミシン目の左右を指で抑えて外側にスライドさせて引っ張って開けるので、ほとんどの場合に一番上のティッシュペーパーが破れて無駄になることが多かった。【０００５】  ティシュペーパーを取り出して使用する際に、複雑に折り畳まれている為に一度広げてから二つ折りにして使用するなど、畳み直す必要があった。【０００６】  ティッシュペーパーを引き出す時、つまみ部分が薄いので引っ張ると破れやすかった。また、つまみ部分が取り出し口の左右どちらか一方向にしかないために取り出しにくかった。【０００７】  ティッシュペーパーの紙の繊維の方向が縦の時に左右に引っ張ると破れやすいため、使用時に紙に力が加わったり水分を含む時は繊維の方向を確認しなければならなかった。
本発明は以上の問題点を解決しようとするものである。
【課題を解決するための手段】
【０００８】  ティッシュペーパーの原反ロールの巻き取る方向に繊維の目が向いている。繊維の目が縦方向は引っ張りに強いが、それに対して横方向は引っ張ると裂けやすい。ティッシュペーパーに引っ張るなどの負荷が掛かる方向に繊維の縦方向が来るように折り畳んで破れにくくする。例えば、ポケットティッシュのミシン目を開封しようと引っ張る方向、ティッシュペーパーを引き出す方向、また、引き出して使用する時の長手方向に必ず引っ張りに強い繊維の縦方向が来るように配してあらかじめ折り畳んで複数重ねて袋に収納する。
また、ティッシュペーパーの上面を観音開きの形態に折り畳むことにより、袋のミシン目の下に観音開きの合わせ目が来るように収容することで、取り出し口の両側に設けられた厚めのつまみ部分となり、ミシン目と直交する方向に繊維の縦方向が来る。
取り出した時、ティッシュペーパーは二つ折りの状態で、長手方向に繊維の縦方向が向いている。
以上の構成よりなるポケットティッシュの折り畳み方である。
【発明の効果】
【０００９】  本発明はティッシュペーパーの取り出し口となるミシン目を開封しようと引っ張ったり、指をスライドさせる方向にティッシュペーパーの紙の繊維の縦方向が向いているため、引っ張りに強いので破れにくい。その上、観音開きに折り畳まれているので紙の遊びがあるので更に破れにくくなる。また、袋が滑りやすい防水性素材などで作られているので繊維の縦方向にスライドさせると滑りがよく開けやすい。
取り出し口を開くと両側に厚めのつまみ部分があるために、左右どちらの利き手でもつまみやすくて取り出しやすい。
また、取り出したティシュペーパーは半分に折られた状態なので広げて畳み直す煩わしさがない。長手方向に紙の繊維が縦方向が向いているので使用時の引っ張りに強い為、水分を含んだりしても破れにくい。
本発明の畳み方は一面が均一の厚みとなる為に重ねて収納しても安定していてコンパクトで携帯しやすい。
本発明は、使い慣れた既存のティッシュペーパーの広げて物を包んだり敷いたりするなどの機能はそのままに、紙の繊維の向きによる強さを利用する事と、畳み方を変える事を組み合わせる事で使いやすくする。
【図面の簡単な説明】
【００１０】
【図１】ポケットティッシュの斜視図
【図２】ティッシュペーパーを引き出した時の形態図
【図３】ティッシュペーパーの折り畳み形態の展開図
【図４】ティッシュペーパーを折り畳んだ状態を示す図
【図５】ポケットティッシュの部分断面図
【図６】ティッシュペーパーを取り出す使用状態図
【発明を実施するための形態】
【００１１】  以下、本発明の実施形態について説明する。
（イ）ティッシュペーパー（４）の繊維の縦方向（ａ）を横にした時、上下が半分になる位置で第一の折り目（５）を山折にする。
（ロ）第一の折り目（５）を上にした時、面積が縦に三等分になる位置で第二の折り目（６）と第三の折り目（７）を手前に向って折る。
（ハ）その上面の面積が縦に半分になる位置で第四の折り目（８）を外側に向って折り、その下も同じように第五の折り目（９）を外側に向って折り、中央で観音開きになるようにする。
（二）同じように折られたティッシュペーパー（４）を複数重ねたものを滑りやすく防水性素材で中央に取出し口（３）となるミシン目（２）が設けられた扁平な袋（１）にミシン目（２）と第四の折り目（８）と第五の折り目（９）が平行になるように収容する。
（ホ）ミシン目（２）を開封しようと引っ張る方向に繊維の縦方向（ａ）が向いており、開封して取出し口（３）を開くと両側につまみ部分となる第四の折り目（８）と第五の折り目（９）がある。
（ヘ）つまみ部分を引っ張ってティッシュペーパー（４）を引き出すと半分に折られた状態になっており、長手方向に繊維の縦方向（ａ）が向いている。
本発明は、以上の構成である。
【符号の説明】１  袋
２  ミシン目
３  取出し口
４  ティッシュペーパー
５  第一の折り目
６  第二の折り目
７  第三の折り目
８  第四の折り目
９  第五の折り目
ａ  繊維の縦方向
ｂ  繊維の横方向
【要約】
【課題】ポケットティッシュのティッシュペーパーを破れにくく、取り出し易く、取り出して畳み直さずに使うことができるポケットティッシュの折り畳み方を提供する。
【解決手段】ポケットティッシュを開封する時、ティッシュペーパーを引き出す時、使用する時の長手方向など、ティッシュペーパーに引っ張る力が掛かる方向に繊維の縦方向がくるように配し、上面を観音開きに折り畳むことで厚めのつまみ部分を取り出し口の左右両側に設け、そして取り出した時に二つ折りの状態になるよう折り畳み、複数重ねて袋に収納する。
【選択図】図４【図１】
0005800170.tif 000002
【図２】
0005800170.tif 000003
【図３】
0005800170.tif 000004
【図４】
0005800170.tif 000005
【図５】
0005800170.tif 000006
【図６】
0005800170.tif 000007